(57)【要約】　　　（修正有）【課題】多量のマイナスイオンを発生させるとともに、窒素酸化物などの有害物を出さずにオゾンを発生して、空気を完全に近く消臭殺菌して、真に、環境浄化に役立つ、革命的な消臭殺菌健康空調設備を提供する。【解決手段】上記課題解決のため、オゾン発生のため、特に選択した波長を主として使用し、紫外線ランプ１７を用い、有害物を発生させず、光触媒４により、紫外線発生効率と殺菌効率を向上させ、新規方式により、自然界に存在する７００個、滝壺で存在する２万個の１００倍以上のマイナスイオンを発生させる装置３を組み合わせ小型化し、その結果、場所を取らない壁や天井への埋め込み型や露出設置型の開発にも成功し、革新的消臭殺菌健康空調装置を開発することにより、課題を解決した。【選択図】　　　図１
2004121811.tif 000002
【特許請求の範囲】
【請求項１】
装置の中心部に、紫外線ランプによる紫外線発生機構即ち紫外線発生；オゾン発生機構と、光触媒機構とを設け、該装置の吹き出し出口に近い部分である清浄化目的室内への入り口付近にマイナスイオン発生機構を設けることにより、消臭殺菌された空気にマイナスイオンを付加して、該清浄化目的室内に送入することを特徴とする消臭殺菌健康空調装置。
【請求項２】
前記光触媒機構は酸化亜鉛及び又は酸化チタン粉末を用いることにより、紫外線波長領域１００〜４００ｎｍを放射することのできる紫外線ランプによって光触媒機構を働かせることにより消臭殺菌を行うものである請求項１に記載の消臭殺菌健康空調装置。
【請求項３】
前記マイナスイオン発生機構は、該装置内でマイナス側の電圧を昇圧させ整流した後に針状電極より増幅された電子を清浄化目的室内へ放出するものである請求項１又は２に記載の消臭殺菌健康空調装置。
【請求項４】
前記空調装置は該室内の天井又は壁に埋め込みないし天井又は壁への露出設置を可能にした形状に製作し、該装置内に送風用ファンを設けて、直線的に圧風を該室に吹き込むことにより、清浄化目的室内の空気を攪拌し、室内空気のよどみをなくすものである請求項１〜３のいずれかに記載の消臭殺菌健康空調装置。
【請求項５】
前記消臭殺菌健康空調装置は、清浄化目的室以外の空気を本装置に取り込むことにより装置内の汚れを除くことができ、清浄化目的室内に新鮮で綺麗な空気を送り込むものである請求項１〜４のいずれかに記載の消臭殺菌健康空調装置。
【請求項６】
前記消臭殺菌健康空調装置は、マイナスイオン発生機構と紫外線発生；オゾン発性機構と光触媒機構及び送風用ファンとからなる発生部とこれ等を収納する装置外装部とを分離構造として、後に一体的に組み付けるものからなる請求項１〜５のいずれかに記載の消臭殺菌健康空調装置。
【発明の詳細な説明】
【０００１】
【発明の属する技術分野】
本発明は、現代社会、特に人口の集中する都市部における人間の生活から排出される種々の悪臭をオゾンにより消失させ、同時に、日常呼吸をする空気の中の有害菌を紫外線と光触媒により消滅させ、更に、近代生活の中で常時発生し、人体に有害である空中のプラスイオンを減少させ、反対に、健康上極めて有益なるマイナスイオンを常時発生させることにより、都市の盛り場においても、また各家庭においても、いながらにして、リゾ−ト地同様の清浄な空気環境中に暮らすことを、初めて可能とし、かけがえのない健康が得られ、而も、清浄化目的室の天井及び／又は壁に埋め込むか、又は壁掛け型として場所をとらない、構造の独創的革新型空調装置に関するものである。
【０００２】
【従来の技術】
従来、娯楽施設、ホテル、病院、オフィスビル、特別施設、一般家庭などの建築物では、快適な環境を作りだすために空気清浄機などを設置してきた。また従来設置された空気清浄システムの類は装置も大きく、値段も高過ぎた。従来の空気清浄装置はフィルタ−と活性炭によるホコリと臭いの吸着が主で装置内に取り込んだ空気しか浄化できないので、室内全体の空気を迅速に浄化できないという欠点もあった。更に、従来の空気清浄システムは装置内で生成されたオゾンをダクト配管によって室内に吹き出すものである。而して、従来環境を改善する装置設備は多種類存在した。しかし、それらの性能要点を正確に見ると、その目的に対しては、後記のように多くの欠点を有し、かつ種々の問題点が存在する。更に、従来技術の具体例について述べる。
【０００３】
第１の従来技術は、特開２０００−１４０６８８公報に開示されているような空気清浄調和装置がある。これは副次的に発生するオゾンを有効かつ安全に定常的に利用する空気清浄調和装置である。その具体的手段としては、風路内に設けられた送風用ファンと、送風用ファンの吸気側に設けた除塵フィルタと、除塵フィルタの排気側に設けた放電素子と、放電素子により荷電された塵等を電気的に捕集する集塵部と、放電素子から発生するオゾン及び空気中の臭気成分を分解する光分解触媒を担持した紫外線ランプと、紫外線ランプを通過したオゾン濃度を制御するためのオゾンセンサ及び制御回路を具備する。また、人体に有益なマイナスイオンによる居住者の健康維持を図る、という技術である。
【０００４】
第２の従来技術は、特開２０００−９７４５２公報に開示されているような、セントラル換気ユニットの技術である。この技術の要点は、室内空気を循環させることなく全館換気を行うことによって、空気浄化と殺菌及び消臭効果が得られるセントラル換気ユニットである。その構成概要は、本体ケ−スに開口する外気取入口から導入された外気を浄化してこれを室内に供給するセントラル換気ユニツトにおいて、光触媒及びオゾンとマイナスイオンを同時発生するオゾン発生器を備える空気清浄器を前記本体ケ−スに設置する。本発明によれば、光触媒及びオゾン発生器を備える空気精清浄器をセントラル換気ユニットの本体ケ−スに設置したため、室内空気を循環させることなく、全館換気を行うことによって光触媒による導入外気の浄化に加え、オゾン発生器によって発生するオゾンによる殺菌と消臭及び人体に有益なマイナスイオンによる居住者の健康維持を図ることができる、という技術である。尚、本発明のオゾン発生器はコロナ放電によるオゾン発生原理を利用したもので、放電電極に電圧を印加することにより、コロナ放電により発生した紫外線による光触媒の殺菌と消臭効果を有するオゾンと人体に有益なマイナスイオンを同時に発生させるものである。
【０００５】
第３の従来技術は、特開２０００−１４３２１５公報に開示されているような消臭殺菌装置の技術である。これは、電極の材料をオゾンによって腐蝕されにくいものとし、電極より紫外線を発生させるようにし、電極の光触媒機能をはたらかせ、小型で、安価で、取扱いの容易な消臭・殺菌装置である。この装置は、イオン及びオゾン発生器が焼結され圧延された酸化チタンで形成された筒状電極とそのほぼ中心線上に位置する針状電極とを有し、高周波・高電圧の直流により前記針状電極より紫外線を発光し、前記筒状電極内周面に沿う空気流をそれ自身でさせる技術である。
【０００６】
第４の従来技術は、最近、新聞広告で盛んに宣伝され販売されている冷風扇のようなものがある。これは水の気化熱を利用した冷風ファンとマイナスイオン発生器と称するものの兼用器のようである。工事不要で移動簡単な部屋置き型で値段は３万円台、電気代も月１００〜２００円とのことである。
【０００７】
【発明が解決しようとする課題】
しかしながら、前記までの各種従来技術では、都市或いは工場地帯又は各家庭において、人間が眞に快適健康な生活ないし業務を行うために、消臭殺菌、マイナスイオンによる環境浄化を同時に満足する装置としては極めて十分ではない。一般に、従来の多くのオゾン発生装置は無声放電や沿面放電などで、空中放電方式なので、窒素酸化物や硫黄酸化物などの有害物質を発生するから、この方式は根本から改善しなければならない。またこれら有害不純物により、電極部分では硝酸が生成され、不純物が吹き出し口から垂れ下がり有害であった。
【０００８】
また、最近は建築物の高気密化により室内の換気を悪くしているが、周辺環境の関係で窓を明けると、多くの支障が生ずるが、何らかの改善解決が必要とされている。芳香剤を利用する方法も存在するが、益々変な臭いになってしまうので合理的解決方法にはならない。一般に空気清浄システムは場所を取る上に、高価である。また、マイナスイオンについては、現状まで市販のものは、事実上出ているマイナスイオンは非常に少なく、効果は殆どないという問題点がある。
【０００９】
具体的には、先ず、前記第１の従来技術では、オゾンを発生させ、消臭、殺菌の効果は得られるとしても、マイナスイオンは集塵器のところで発生するので、塵埃粒子をマイナスに帯電させ、集塵しやすくなる。従って、この場合、マイナスイオンを発生させる目的は集塵能率の向上にあるものである。依って、この従来技術では、マイナスイオンは、実質上、在室者等の健康増進のためには殆ど役には立っていないという問題点がある。
【００１０】
次に、第２の従来技術では、室内空気を全部換気を行い、光触媒及びオゾンとマイナスイオンを同時発生するということであるが、そのオゾン発生原理はコロナ放電によるものである。しかし放電はしばしば窒素酸化物の発生を伴うことがあるから、その室の利用者の健康上有害となる欠点を有する。
【００１１】
第３の従来技術では、電極の材料を耐触性のものとしており、かつ小型で安価なものであるけれども、電極間への放電はエネルギ−が大きい為にマイナスイオンやオゾン以外に人体に有害な窒素酸化物や硫黄酸化物まで生成してしまい、これら有害な副生物質への配慮がされていないという欠点がある。従って、この技術の効果としては消臭、殺菌のみに止まるので、現今の環境における、空気中のプラスイオンによる不健康の状態を改善できないという問題点がある。
【００１２】
第４の従来技術は、水の気化熱を利用して、安価に冷風を室内に供給するもので、宣伝の印刷物に構造断面が示されているが、この構造からは、マイナスイオンが積極的に発生することはない、という問題点がある。また、この構造からは消臭、殺菌の機能はなく、従ってまた、水槽内の冷却水への殺菌が行われておらず、レジオネラ菌などの病原菌が発生し、空気中へ散布されるという欠点がある
。
【００１３】
本発明は、これら各種従来技術の諸欠点、問題点を殆ど除去し解決して、現代社会において、汚染された環境の中にあって、都市の娯楽会場、ホテル、食堂等はもとより、一般家庭においても、清浄化目的室において、小型かつ安価で、特に場所をとらず、消臭、殺菌かつマイナスイオンによる、理想的革新的な健康増進空調装置を創出提供することを、その目的課題とするものである。
【００１４】
【課題を解決するための手段】
本発明は、上記の現代的課題を解決し、いわば空調革命の本命として、次の手段を構成する。即ち、本発明の第１番目の特徴は、該装置の中心部に、紫外線ランプによる紫外線発生；オゾン発生機構と、光触媒機構を設け、該装置の吹き出し出口に近い部分である清浄化目的室内への入り口付近にマイナスイオン発生機構を設けることにより、消臭殺菌された空気にマイナスイオンを付加して、該清浄化目的室内に送入する消臭殺菌健康空調装置である。また第２番目の特徴は、前記光触媒機構が酸化亜鉛及び又は酸化チタン粉末を用いることにより、紫外線波長領域１００〜４００ｎｍを放射することのできる紫外線ランプによって光触媒機構を働かせることにより消臭殺菌を行う消臭殺菌健康空調装置であることである。
【００１５】
次に、その第３番目の特徴は、前記マイナスイオン発生機構が該装置内でマイナス側の電圧を３０００〜１００００ボルトに昇圧させ整流した後に、針状電極より増幅された電子を清浄化目的室内へ放出する消臭殺菌健康空調装置であることである。更にその第４番目の特徴は、前記空調装置が該室内の天井又は壁に埋め込みないし天井又は壁への露出設置を可能にした形状に製作し、該装置内に送風用ファンを設けて、直線的に圧風を該室に吹き込むことにより、清浄化目的室内の空気を攪拌し室内空気のよどみをなくす消臭殺菌健康空調装置であることである。
【００１６】
本発明に使用する紫外線の波長は、１００〜４００ｎｍである。１００ｎｍ未満ではＸ線乃至ガンマー線の領域となり危険だからであり、４００ｎｍを超えると可視光線となるので、紫外線特有の作用がなくなるからである。また、本発明では望ましくは、特に１８５ｎｍと２５４ｎｍの紫外線を使用する。その理由は１８５ｎｍでは最もオゾンの発生率が高くまた２５４ｎｍでは殺菌力が最も高いからである。
【００１７】
また、本装置は、清浄化目的室内以外の空気を本装置に取り込むことにより装置内の汚れを除くことができ、清浄化目的室内に新鮮で綺麗な空気を送り込む方式の消臭殺菌健康空調装置であるところにも特徴がある。
【００１８】
更に、本装置は取り付け工事やメンテナンスを行い易くするために、装置外装部と発生部とを分離する構造にするところに特徴がある。これにより、掃除や部品交換等が容易に行われることになる。
【００１９】
【発明の実施の形態】
清浄化目的室内において、健康的空間を作り出すため、また望ましくは、場所を取らないためには、本発明装置は壁又は天井への埋め込み型とし、その寸法に穴を開けて装置を取り付け、また、天井や壁に露出設置用の設置配線器具を取り付ける。かつ装置自体にオゾン発生装置及びマイナスイオン発生機構が組み込まれているので、大掛かりなダクト配管も不要で工事は従来に比べ手数がかからない。また、本発明装置によるオゾン発生の形態は、空中放電方式ではなく、紫外線ランプによるものであるから、窒素酸化物や硫黄酸化物等の人体に有害な物質は生成しない。また、マイナスイオンによる作用で、紫煙や煙成分の除去作用があり、かつマイナスイオンによる心身のリフレッシュ健康化の作用もある。
【００２０】
本発明の実施の形態における作用は次の通りである。光触媒による殺菌消臭の原理は、光触媒に１００〜４００ｎｍ以下の紫外線を照射することにより、光触媒表面で空気中に存在している水分Ｈ２Ｏと酸素Ｏ２が化学反応を起こし、Ｈ２Ｏ＋Ｏ２→ＯＨ＋ＯＯＨが発生し、ＯＨラジカルは酸素原子Ｏと同様にオゾンから作り出される活性物と同じメカニズムで消臭、殺菌を行う。また、マイナスイオンを同時に発生させることによって、ＯＨ−　やＯ−なる活性物質がマイナス帯電することにより、有機物質である細菌、ウイルス或いは煙成分をひきつけやすくし、効率よく殺菌をすることができる。而して、本発明においては、該装置の出口、即ち清浄化目的室の入り口でマイナスイオンを発生させ、中央の塵粒子に吸着させないようにするが、この付近でオゾンをマイナスイオンと併用することにより、従来技術よりも、低濃度のオゾンで殺菌、消臭が行えるようになった。その理由は、オゾンによって作り出された活性物が、マイナスイオンによりマイナスに帯電することによって殺菌消臭に大きく作用するからである。更に、本発明では、オゾンの発生を放電作用によらず、紫外線ランプにより行うことにより窒素酸化物、硫黄酸化物等の有害物を発生させない。
【００２１】
（実施例１）
以下、本発明の消臭殺菌健康空調装置の実施例について説明する。図１に示すように、この消臭殺菌健康空調装置１は、大別してオゾンを発生させる紫外線発生；オゾン発生機構２と、マイナスイオンを発生させるマイナスイオン発生機構３と、消臭殺菌を行うための光触媒機構４と、消臭殺菌された空気を清浄化目的室７内に送り込むためのシロッコファン５等とからなり、これ等はイオンラジカルシャワー外装６内に収納されている。なお、図２に示すように紫外線発生；オゾン発生機構２とマイナスイオン発生機構３と光触媒機構４及びシロッコファン５に連結する吹き出しダクト５ａは箱体８内に収納されており、この箱体８の下端には吹き出しカバー９が固定されている。また、接続コネクタ１０も配設されている。一方、図４に示すようにイオンラジカルシャワー外装６は清浄化目的室７側の建築材１１の孔に着脱可能に嵌り込んで立設され、建築材１１に装置取付け足１２により固定される。また、イオンラジカルシャワー外装６内の上方側には仕切り板１３が横架され、仕切り板１３の上方側にはシロッコファン５が設けられ、電源接続コネクタ１４やこれに連結される接続コネクタ１５が設けられている。また、仕切り板１３の下方には図２に示した箱体８が収納される空間１６が形成される。
【００２２】
以上のように、消臭殺菌健康空調装置１は図４に示したイオンラジカルシャワー外装６の空間１６内には図２に示した箱体８を挿入し、図１に示すようにイオンラジカルシャワー外装６と箱体８の吹き出しカバー９側とを着脱可能に連結した状態で天井や壁等の建築材１１上に設置し、接続コネクタ１０，１５を接続したものからなる。以上により、後に説明するように消臭細菌に効果的な整流された空気をシロッコファン５や吹き出しダクト５ａから清浄化目的室７に吹き出し拡散させることができる。以下、前記消臭殺菌健康空調装置１の各機構の構造や内容，機能等を説明する。
【００２３】
紫外線発生；オゾン発生機構２は、図１，図２に示すように紫外放射線ランプ１７と、図３に示すように紫外放射線ランプ１７を放電させるために使用されそのランプ出力をコントロールするためのインバータ１８等とからなる。紫外放射線ランプ１７は２種類あり、その１つは紫外放射線オゾンランプであり、もう１つは紫外放射線殺菌ランプである。前者の紫外放射線オゾンランプは２Ｗ以上の高出力紫外放射線ランプを使用するもので使用場所によって後者のものと使い分けする。この紫外放射線オゾンランプを用いた場合、実際の室内においての雰囲気濃度は環境基準値以下の０．１ｐｐｍを下回る０．０５ｐｐｍ以下のオゾン化した空気を室内に吹き出すように調整することができる。一方、後者の紫外放射線殺菌ランプは前者の紫外放射線オゾンランプと同様に２Ｗ以上の高出力紫外放射線ランプを使用する。紫外放射線殺菌ランプは取り込んだ空気の中に存在している細菌やウイルスを紫外放射線によってＤＮＡやＲＮＡを傷つけ不活性化させる事ができる。この効果は紫外放射線オゾンランプにもあるが、紫外放射線殺菌ランプはより効果的な波長を作り出すことが可能である。また、本実施例では紫外放射線ランプ１７としては１６０ｎｍ乃至３８０ｎｍの波長の紫外線を用い、オゾンを多く発生させることのできる１８５ｎｍや殺菌作用の強い２５４ｎｍの紫外線を出すことができる。
【００２４】
マイナスイオン発生機構３はイオン発生体からなり、このイオン発生体はマイナスイオン発生体とマイナスイオンとオゾンとを同時に発生させるイオン発生体の２種類のものがある。前者のマイナスイオン発生体は、マイナスイオン側の電極のみを外側に出しているためマイナスイオンが発生するのみであるが、このマイナスイオン量は現存している測定器ではメモリが振り切れてしまうほどの発生量を有する。なお、マイナスイオン測定器としてアメリカ製の１Ｃ−１０００があり、これを用いて計測した結果、マイナスイオン発生体から５０ｃｍ以内では１００万個以上のマイナスイオンが測定された。マイナスイオンは血管の拡張に効果的であり血圧を正常化し、血液をアルカリ傾向にすることや呼吸を鎮静化し、脈拍を減少させ、利尿を促し、疲労回復を促進させることができる。一方、もう１つ後者のイオン発生体は前記のようにマイナスイオンとオゾンとを同時に発生させるものである。このイオン発生体はマイナス側とプラス側とをイオン発生体から出すことにより、マイナスイオンとオゾンとを同時に発生させる構造のものからなる。このイオン発生体のメリットとしては消費者側に対して経済的なメリットがある他、少量のオゾンを室内に吹き出させたい時にこのイオン発生体を使うことができる点にある。しかし、デメリットとしてはマイナスイオンのみを発生させる前者のものと異なり、ややマイナスイオン量の減少する点が挙げられる。オゾンは消臭やウイルス，細菌の殺菌を行うものであり、マイナスイオンとオゾンを併用することによりオゾン単独の場合に較べてはるかに大きな消臭殺菌力を発揮することができる。
【００２５】
光触媒機構４としては実施例では図１，図２に示すように遮光板１９が用いられている。この遮光板も２種類あり、その１つは紫外放射線ランプ１７から出る光を室内に露光させないためのものであり、これに効果的な塗装を施したものからなる。このようにすることにより、紫外放射線ランプ１７から出た光の色は塗装面に吸収され、紫外放射線自体の影響を受けなくする。また、もう１つの遮光板１９は酸化亜鉛及び酸化チタンを塗布した板からなる。酸化チタンを用いる事により装置内に取り込まれた空気を消臭殺菌することができる。なお、光触媒の効果を得るには紫外放射線ランプ１７が必要になるが、このときの紫外放射線の領域は１６０ｎｍから３８０ｎｍのものが最も効果的である。
【００２６】
以上の紫外線発生；オゾン発生機構２とマイナスイオン発生機構３と光触媒機構４を併用させる効果をまとめると次のようになる。本装置に使用する紫外線ランプは主に１８５ｎｍと２５４ｎｍの波長が多く放射するタイプのランプを使用する。１８５ｎｍの紫外線は酸素Ｏ２を解離してオゾンＯ３を生成する。オゾンは有機物質に接触するとＯ３から酸素Ｏ２と酸素原子Ｏに分解する事ができ、このときに発生する酸素Ｏが強力な活性力を秘めており、細菌やウイルスを殺菌し臭い成分を分解消臭する。２５４ｎｍの紫外線は殺菌力が高く細菌やウイルスの細胞壁を破壊し、ＤＮＡやＲＮＡを破壊する事で活動を抑制し死滅させる。その他の紫外線利用では、光触媒を使用しての殺菌と消臭がある。光触媒による殺菌消臭の原理は光触媒に４００ｎｍ以下の紫外線を照射する事により、光触媒表面で空気中に存在している水分Ｈ２Ｏと酸素Ｏ２が化学反応を起こし、Ｈ２Ｏ＋Ｏ２→ＯＨ＋ＯＯＨが発生する。ＯＨ（ヒドロキシラジカル）は広義の分野で強力な活性力のある物質である事はよく知られており、ＯＨラジカルは酸素原子Ｏと同様にオゾンから作り出される活性物と同じメカニズムで消臭や殺菌を行う。また、マイナスイオンを同時に発生させる事によってＯＨ−やＯ−といった活性物質がマイナス帯電する事により有機物質である細菌やウイルスそして煙成分などにひきつけやすくする事で、効率良く分解を行う事ができる。オゾンをマイナスイオンと併用する事で従来のオゾンによる消臭殺菌で行われた時のオゾン濃度よりもマイナスイオンを併用する事でごく低濃度のオゾン濃度で殺菌消臭が行えるようになった。それは前述の通りオゾンによって作り出された活性物がマイナスイオンによってマイナス帯電することが殺菌消臭に大きく作用するからである。その他にマイナスイオンは空気の成分である酸素や二酸化炭素，窒素などにもマイナス帯電し、そうする事でマイナスイオンを呼吸により体内へ取り入れる事ができる。マイナスイオンによる生体への作用は、皮膚などによるマイナスイオン吸収よりも呼吸によって肺へ送り込まれる事でより多く体内へ吸収され交感神経への鎮静作用など様々な身体への効果がえられる。
【００２７】
なお、図１に示すようなシロッコファン５と吹き出しダクト５ａとは装置の合体組付け時において連接される構造のものからなる。また、この吹き出しダクト５ａはシロッコファン５から送られる風を整流する事により遠くに吹き出させる事ができ、室内の空気を十分撹拌する効果が得られる。そうする事によって風の流動を強制的に行う事で空気の淀みをなくし、快適な空間を作り出す事ができる。
【００２８】
イオンラジカルシャワー外装６は金属素材を使用し、使用場所にあわせた加工が容易に行えるようになっている。また、装置内部の無機質素材にも以下の処理が必要となる。これは紫外放射線ランプ１７から出る光を室内に露光しない為に必要のものであり、また装置自体が紫外放射線に影響を受けなくするために塗装を施している。こうすることによって紫外放射線ランプより出た光の色は塗装面に吸収され紫外放射線自体の影響も受けなくなる。
【００２９】
吹き出しカバー９は使用場所によって塗装の色を替えることができ、カバー自体の材質は軽量化のためにアルミニウムを採用している。材質自体はアルミニウムの他に鉄，ステンレス，プラスチック塩ビ，ＡＢＳ，ポリカーボネイト等の無機質素材を使用する。いずれの素材も表面を塗料やアルマイト等の化学処理によって保護する必要がある。
【００３０】
接続コネクタ１０，１５は本体と発生ユニット（イオン発生装置と紫外放射線ランプ）を繋ぐコネクターで、電源接続コネクタ１４に連結される。この接続コネクタ１０，１５を採用する事により本体と発生ユニットの取り付けや取り外しが簡単に行えます。
【００３１】
仕切り板１３はシロッコファン５を取り付けるために使用するベース板である。また、装置取り付け足１２は建築材１１にイオンデジタルシャワー外装６が入るぐらいの穴をあけ、これを埋め込んだら内側にあるネジを緩めてイオンデジタルシャワー外装６の側面の溝をスライドさせて建築材１１を挟み込むようにしてネジを固定する。これにより、装置を建築材１１上に確実に固定することができ
る。
【００３２】
（実施例２）
今回の請求項５に関する方式は従来の室内空気循環型に較べて装置内を著しく汚れないようにする方式と言える。室内空気循環型は室内の汚れた空気を装置内に取り込み、濾過した後に清浄化目的室内へ吹き出すものであるが、この方式では装置内がフィルタでは濾過しきれないためにタバコのヤニやホコリで瞬時に汚れてしまい、マイナスイオンの発生や紫外線の働き、光触媒機構の著しい機能低下が見られた。そこで、清浄化目的室内以外の空気を装置内に取り込むことにより、室内空気の換気と併用し清浄化目的室内へのマイナスイオン放出と消臭に最適な濃度のオゾンを放出することにより最適な環境を作り出すことができる。その上装置内の光触媒機構の働きにより清浄化目的室内へ送り込む空気を浄化し新鮮で綺麗な空気を清浄化目的室内へ送り込むことができる。
【００３３】
（実施例３）
請求項６に関する消臭殺菌健康空調装置は図５に示した消臭殺菌健康空調装置１を図６及び図７に示す発生部と図８に示す装置外装部とに予め分離して後に組み付けたものからなる。なお、図５の消臭殺菌健康空調装置１は図１に示す消臭殺菌健康空調装置１の仕切板１３を除去したものでありその他の構成は同一のものからなる。装置外装部は天井や壁にこの装置外装部が入る大きさの穴を開けて埋め込むが、この時図５のように送風用ファンが装置外装部に取り付けられている状態では送風用ファンが高重量のため工事がしにくく、送風用ファンの寿命に合わせてのメンテナンスが困難となることから送風用ファンを発生部の一部に組み込む形にすることにした。また、発生部を別体のものにすることにより発生部を構成する紫外線発生；オゾン発生機構、マイナスイオン発生機構、光触媒発生機構、送風用ファンの定期的な掃除や交換を容易に行うことができる。
【００３４】
【発明の効果】
１）近代社会における空気環境の汚染は甚だしく、各種悪臭、空中浮遊菌、不快感を与えるプラスイオン等、人々の健康を甚だしく害しているところ、本発明による紫外線ランプと光触媒とマイナスイオンの合理的新規の組合せによる小型併用器で天井又は壁に埋め込み型或いは天井又は壁への露出設置可能型の創出により、消臭、殺菌、マイナスイオンによる健康化と、従来技術を遙かに超えて、建造物の空調が革命的に改善される。
２）従来の空気浄化装置は、ダクトやフィルタ−などを使用し、必ず大型で、広い場所をとっていたが本発明では紫外線ランプを用い、能率最高の波長を使用し、かつ、光触媒を併用することにより従来最小型の清浄化空調装置を創造し、壁、天井に埋め込み或いは薄型露出取付けも可能となった。その結果、貴重な場所をとらず、オゾンを発生させて、消臭殺菌を、従来最高の効率で行なうことができる上、従来よりも遙かに多いマイナスイオンを塵に吸収されることなく発生することができるという顕著な効果が得られる。
３）本発明では、従来と異なり、オゾン発生を放電によらず、紫外線ランプのみで行うため、窒素酸化物や硫黄酸化物など、人体に有害な物質を発生させないから、自然界に存在する７００個、滝壺で存在する２万個に対して１００倍以上のマイナスイオンの発生と共に娯楽設備の利用者オフィスビルの勤務者、家屋の居住者について、従来に比較し、実質的遙かに、健康化をはかることができるという、甚大なる効果をもたらす。
４）また、本発明では装置入口に清浄化目的室内の空気以外の空気を取り入れてマイナスイオンを放出し、オゾンにより殺菌、消臭を行うことができるので、新鮮で綺麗な空気を清浄化目的室内に送入することができる。
５）更に、本発明によれば、装置外装部と発生部とを容易に取り外し及び取り付けできる分離構造としたため、保守、点検、修理等を容易に行うことができる等の効果もある理想的空気清浄化健康空調装置と言えるものである。
【図面の簡単な説明】
【図１】本発明の消臭殺菌健康空調装置の全体構造を示す断面図。
【図２】本発明の消臭殺菌健康空調装置の内の紫外線発生；オゾン発生機構、マイナスイオン発生機構及び光触媒機構の収納構造を示す断面図。
【図３】図２の背面図。
【図４】シロッコファン等やこれを支持するイオンデジタルシャワー外装等を示す断面図。
【図５】分離構造の本発明の消臭殺菌健康空調装置の全体構造を示す断面図。
【図６】図５における発生部の全体構造を示す断面図。
【図７】図６の背面図。
【図８】図５の装置外装部の全体構造を示す断面図。
【符号の説明】
１　　消臭殺菌健康空調装置
２　　紫外線発生；オゾン発生機構
３　　マイナスイオン発生機構
４　　光触媒機構
５　　シロッコファン
５ａ　吹き出しダクト
６　　イオンデジタルシャワー外装
７　　清浄化目的室
８　　箱体
９　　吹き出しカバー
１０　接続コネクタ
１１　建築材
１２　装置取付け足
１３　仕切り板
１４　電源接続コネクタ
１５　接続コネクタ
１６　空間
１７　紫外放射線ランプ
１８　インバータ
１９　遮光板
【図１】
2004121811.tif 000003
【図２】
2004121811.tif 000004
【図３】
2004121811.tif 000005
【図４】
2004121811.tif 000006
【図５】
2004121811.tif 000007
【図６】
2004121811.tif 000008
【図７】
2004121811.tif 000009
【図８】
2004121811.tif 000010